(57)【要約】【課題】風呂循環回路の凍結に防止すると共に、快適な入浴を可能とする貯湯式給湯風呂装置を提供するものである。【解決手段】加熱手段２と貯湯タンク１と、該貯湯タンク１下部には給水管７を接続すると共に上部には出湯管８を接続し、更に風呂循環回路１６に浴槽水を循環させる風呂循環ポンプ１８と浴槽水温度を検知する風呂温度センサ２０と前記浴槽３の水位を検出する水位検出手段２１とを備え、更に風呂用熱交換器１７をバイパスするバイパス管２２と、該バイパス管２２側と風呂用熱交換器１７側とを切り替えて開閉する開閉手段２３とを備えたもので、前記風呂温度センサ２０が凍結危険温度を検出することで、風呂循環ポンプ１８を駆動して浴槽水を循環させる凍結防止運転中に、水位検出手段２１が入浴者を検知すると凍結防止運転を中止或いは抑制することで、凍結防止と快適な入浴が出来る。【選択図】  図２
2009250586.tif 000002
【特許請求の範囲】
【請求項１】
加熱手段で沸き上げた湯水を貯湯する貯湯タンクと、該貯湯タンク下部には給水管を接続すると共に上部には出湯管を接続し、更に貯湯タンク内には風呂用熱交換器を備え、浴槽と浴槽水を加熱する風呂用熱交換器とは循環可能に接続する風呂往き管および風呂戻り管から成る風呂循環回路と、該風呂循環回路に浴槽水を循環させる風呂循環ポンプと浴槽水温度を検知する風呂温度センサと前記浴槽の水位を検出する水位検出手段とを備え、更に風呂用熱交換器をバイパスするバイパス管と、該バイパス管側と風呂用熱交換器側とを切り替えて開閉する開閉手段とを備えた給湯風呂装置に於いて、前記風呂温度センサが凍結危険温度を検出することで、風呂循環ポンプを駆動して浴槽水を循環させる凍結防止運転中に、水位検出手段が入浴者を検知すると凍結防止運転を中止或いは抑制する事を特徴とする給湯風呂装置。
【請求項２】
前記凍結防止運転の抑制は、水位検出手段が入浴者を検知すると所定時間の間凍結防止運転を停止し、所定時間経過後は再び凍結防止運転を開始するようにした事を特徴とする請求項１記載の給湯風呂装置。
【請求項３】
前記凍結防止運転の抑制は、水位検出手段が入浴者を検知すると風呂循環ポンプを最低回転数で駆動するようにした事を特徴とする請求項１記載の給湯風呂装置。
【発明の詳細な説明】
【技術分野】
【０００１】
この発明は、風呂循環回路の凍結防止運転中の入浴が快適に行われる給湯風呂装置に関するものである。
【背景技術】
【０００２】
従来よりこの種の給湯風呂装置では、風呂循環回路の浴槽水温度が凍結危険温度まで低下したことを検知すると、風呂循環ポンプを間欠的に駆動させて浴槽水を循環させることにより、この風呂循環回路の凍結を防止するものであった。（例えば、特許文献１参照。）
【特許文献１】特許第２８３３２９５号公報
【発明の開示】
【発明が解決しようとする課題】
【０００３】
ところでこの従来のものでは、凍結防止運転中に浴槽への入浴があった場合、浴槽へは冷たい浴槽水が流入し、入浴者に直接当たることもあり不快な気分となって、良好な入浴は望めないものであった。
【課題を解決するための手段】
【０００４】
この発明は上記課題を解決するために、特に請求項１ではその構成を、加熱手段で沸き上げた湯水を貯湯する貯湯タンクと、該貯湯タンク下部には給水管を接続すると共に上部には出湯管を接続し、更に貯湯タンク内には風呂用熱交換器を備え、浴槽と浴槽水を加熱する風呂用熱交換器とは循環可能に接続する風呂往き管および風呂戻り管から成る風呂循環回路と、該風呂循環回路に浴槽水を循環させる風呂循環ポンプと浴槽水温度を検知する風呂温度センサと前記浴槽の水位を検出する水位検出手段とを備え、更に風呂用熱交換器をバイパスするバイパス管と、該バイパス管側と風呂用熱交換器側とを切り替えて開閉する開閉手段とを備えた給湯風呂装置に於いて、前記風呂温度センサが凍結危険温度を検出することで、風呂循環ポンプを駆動して浴槽水を循環させる凍結防止運転中に、水位検出手段が入浴者を検知すると凍結防止運転を中止或いは抑制するものである。
【０００５】
又請求項２では、前記凍結防止運転の抑制は、水位検出手段が入浴者を検知すると所定時間の間凍結防止運転を停止し、所定時間経過後は再び凍結防止運転を開始するようにしたものである。
【０００６】
又請求項３では、前記凍結防止運転の抑制は、水位検出手段が入浴者を検知すると風呂循環ポンプを最低回転数で駆動するようにしたものである。
【発明の効果】
【０００７】
この発明の請求項１によれば、風呂循環ポンプを駆動させての風呂循環回路の凍結防止運転中に、浴槽への入浴がある場合には、水位検出手段の水位上昇によって入浴者有りを検知して、風呂循環ポンプの駆動を中止或いは抑制し、入浴者に冷たい浴槽水が当たることを阻止して不快感をなくし、快適な入浴が得られるようにしたものである。
【０００８】
又請求項２によれば、入浴者を検知することで、凍結防止運転を一時中断して入浴を優先として快適な入浴を行わせた後、自動的に再び凍結防止運転を開始させて、凍結も確実に防止することが出来るものである。
【０００９】
又請求項３によれば、入浴者の邪魔にならない程度まで、風呂循環ポンプの駆動回転数を落とすことで、入浴と凍結防止とを両方同時使用を可能とし、快適な入浴と確実な凍結防止とを実現するものである。
【発明を実施するための最良の形態】
【００１０】
次に、本発明の一実施形態を図面に基づいて説明する。
１は温水を貯湯する貯湯タンク、２は温水を加熱する加熱手段としてのヒートポンプユニット、３は浴槽である。
【００１１】
４は貯湯タンク１とヒートポンプユニット２を循環可能に接続する加熱循環回路で、加熱循環ポンプ５を有し貯湯タンク１の下部に接続されたヒーポン往き管４ａ及び貯湯タンク１上部に接続されたヒーポン戻り管４ｂより構成され、貯湯タンク１下部の冷水をヒーポン往き管４ａを介してヒートポンプユニット２で加熱し、加熱された高温の温水をヒーポン戻り管４ｂで貯湯タンク１上部に戻して貯湯タンク１内に温水を加熱貯湯するものである。なお、貯湯タンク１の外周面には縦に複数個の貯湯温度センサ６ａ、６ｂ、６ｃ、６ｄを有しており、この貯湯温度センサが所定温度以上を検出することで貯湯量を検知するものである。
【００１２】
７は貯湯タンク１に水を供給する給水管、８は貯湯タンク１内の温水を出湯する出湯管、９は給水管７からの冷水と出湯管８からの温水を設定温度になるように混合する混合弁、１０は混合された設定温度の温水を給湯する給湯管、１１は給湯管１０の端部に設けられる蛇口である。１２は混合弁９の下流に設けた給湯温度センサ、１３は給湯量をカウントする給湯流量センサである。なお、１４は水道圧を所定の圧力に減圧する減圧弁、１５は加熱されることによる過圧を逃がす圧力逃し弁である。
【００１３】
１６は風呂循環回路で、貯湯タンク１内に設けられた蛇管よりなる風呂用熱交換器１７と浴槽３とを風呂往き管１６ａ及び風呂戻り管１６ｂとで循環可能に接続するものである。１８は風呂循環回路１６に設けられた風呂循環ポンプ、１９は流水の有無を検知する流水センサ、２０は風呂循環回路１６を流れる浴槽水の温度を検出する風呂温度センサ、２１は浴槽水の水圧から浴槽３内の水位を検出する水位センサから成る水位検出手段である。
【００１４】
２２は風呂用熱交換器１７をバイパスして風呂往き管１６ａと風呂戻り管１６ｂとを接続するバイパス管で、三方弁よりなる開閉手段２３がバイパス管２２と風呂戻り管１６ｂの接続部に設けられ、風呂循環回路１６を流れる温水を風呂用熱交換器１７を流すか、バイパス管２２側を流すかを選択的に切換えるものである。
【００１５】
２４は前記バイパス管２２の開閉手段２３とは反対側の風呂往き管１６ａ側の接続部より浴槽３側に備えられた混合温度センサで、開閉手段２３の開度調節で風呂用熱交換器１７内に残留した高温温水とバイパス管２２を流通してくる風呂循環回路１６の低温水との混合水温度を検出し、予め設定された安全温度である設定温度５０℃〜６０℃と比較して、この温度になるように開度調節するものであり、この調節は追い焚きまたは保温運転開始が所定時間ここでは６０秒経過後に終了して、通常の追い焚きまたは保温運転の経路状態に戻るものである。
【００１６】
２５は給湯管１０途中から分岐されて風呂循環回路１６に接続され浴槽３への湯張りを行うための湯張り管、２６はこの湯張り管２５に設けられ浴槽３への湯張りの開始、停止を行う湯張り弁、２７は浴槽３への湯張り量をカウントする風呂流量センサである。なお、２８は湯張り管２５と水位検出手段２１との間に設けられる二方弁で、湯張り時に一旦開弁して風呂戻り管１６ｂの湯張り管２５から浴槽３までの配管のエアパージを行った後、閉弁して水位検出手段２１で正確な水位を監視しながら湯張りを行えるようにするものである。
【００１７】
２９はヒートポンプユニット２の加熱制御を行う加熱制御部、３０は給湯および風呂の制御を行う給湯風呂制御部である。
【００１８】
次に、この給湯風呂装置の凍結防止運転について図２のフローチャートに従って説明する。
今ステップ３１で風呂温度センサ２０が浴槽水温０℃以下の凍結危険温度を検知することで、ＹＥＳでステップ３２に進み風呂循環ポンプ１８を駆動させるので、浴槽水は開閉手段２３がバイパス管２２側を開成状態であり、風呂用熱交換器１７を通ることなく風呂循環回路１６を循環して凍結を防止するものである。
【００１９】
そして、ステップ３３で水位検出手段２１が人の入浴を受けて、水位が上昇することで入浴者有りを検知すると、ＹＥＳでステップ３４に進み風呂循環ポンプ１８をＯＦＦし、入浴者に冷水が当たる不具合を防止するものであり、次にステップ３５に進んで入浴が終了する３０分の経過を待って、ＹＥＳでステップ３２に戻って凍結防止運転を継続するものである。
【００２０】
更にステップ３３で入浴者がいなかったＮＯでは、ステップ３６に進み１０秒経過したかを判断し、ＹＥＳでステップ３７に進んで風呂温度センサ２０が浴槽水温を検知し、とりあえず凍結の危険がない３℃以上であるかを判断して、ＹＥＳではステップ３８で風呂循環ポンプ１８をＯＦＦし駆動を停止させて、凍結防止運転を終了させるものであり、又ステップ３７でＮＯの場合には、ステップ３２に戻って凍結防止運転を継続させるものである。
【００２１】
このように、風呂循環回路１６の凍結防止運転中に入浴を検知すると、凍結防止運転を一旦中断して、入浴者に冷水が当たることによる不快感を防止して、快適な入浴を提供するものであり、更に入浴終了する所定時間後には自動的に再び凍結防止運転に入るようにしているので、凍結も確実に防止することが出来、安全であり常に安心して使用出来るものであり、又風呂循環ポンプ１８による浴槽水の循環だけでは水温が上昇しない場合には、開閉手段２３を風呂用熱交換器１７側を流通するように切り替えても良いものであり、又これと連動してヒートポンプユニット２を駆動するようにしても良いものである。
【００２２】
次に他の実施形態の凍結防止運転について図３のフローチャートに従って説明するが、図２と同一部分は同一の符号を付すものである。
今ステップ３１で風呂温度センサ２０が浴槽水温０℃以下の凍結危険温度を検知することで、ＹＥＳでステップ３９に進み風呂循環ポンプ１８を最大回転で駆動させ、浴槽水は開閉手段２３がバイパス管２２側を開成状態であり、風呂用熱交換器１７を通ることなく風呂循環回路１６を循環して凍結を防止するものである。
【００２３】
そして、ステップ３３で水位検出手段２１が人の入浴を受けて、水位が上昇することで入浴者有りを検知すると、ＹＥＳでステップ４０に進み風呂循環ポンプ１８を最低回転数に低下させ、入浴者に冷水が当たる不具合を防止するものであり、次にステップ３５に進んで入浴が終了する３０分の経過を待って、ＹＥＳでステップ３２に戻って凍結防止運転を最大回転で継続するものである。
【００２４】
更にステップ３３で入浴者がいなかったＮＯでは、ステップ３６に進み１０秒経過したかを判断し、ＹＥＳでステップ３７に進んで風呂温度センサ２０が浴槽水温を検知し、とりあえず凍結の危険がない３℃以上であるかを判断して、ＹＥＳではステップ３８で風呂循環ポンプ１８をＯＦＦし駆動を停止させて、凍結防止運転を終了させるものであり、又ステップ３７でＮＯの場合には、ステップ３２に戻って凍結防止運転を継続させるものである。
【００２５】
このように、風呂循環回路１６の凍結防止運転中に入浴を検知すると、凍結防止運転を中断することなく、風呂循環ポンプ１８の能力を変化させることで、入浴者に冷水が当たることを防止して、快適な入浴を提供するものであり、更に入浴終了する所定時間後には自動的に再び通常能力の凍結防止運転に入るようにしているので、凍結も確実に防止することが出来、安全であり常に安心して使用出来るものである。
【図面の簡単な説明】
【００２６】
【図１】本発明に係る給湯風呂装置の一実施形態の概略構成図。
【図２】同要部のフローチャート。
【図３】他の実施形態の要部のフローチャート。
【符号の説明】
【００２７】
１  貯湯タンク
２  ヒートポンプユニット（加熱手段）
３  浴槽
７  給水管
８  出湯管
１６  風呂循環回路
１７  風呂用熱交換器
１８  風呂循環ポンプ
２０  風呂温度センサ
２１  水位検出手段
２２  バイパス管
２３  開閉手段
【図１】
2009250586.tif 000003
【図２】
2009250586.tif 000004
【図３】
2009250586.tif 000005